(57)【要約】      （修正有）【課題】釣針を安定的に吊り下げることができるソフトルアーを提供する。【解決手段】ソフトルアー１００は，軟質材料からなる本体部材１０と，本体部材１０の内部に収容された支持具２０とを備え，支持具２０は，釣針３０が本体部材１０の外部において吊り下がるように，当該釣針３０を連結可能な連結部２１を有する。【選択図】図２
0003210466.tif 000002
【実用新案登録請求の範囲】
【請求項１】
軟質材料からなる本体部材（１０）と，
前記本体部材の内部に収容された支持具（２０）とを備え，
前記支持具は，釣針（３０）が前記本体部材の外部において吊り下がるように，当該釣針を連結可能な連結部（２１）を有する
ソフトルアー。
【請求項２】
前記支持具（２０）は，前記本体部材（１０）の外部に突出し，前記本体部材の外表面に少なくとも一部が当接することで，前記本体部材の内部における前記支持具の位置ズレを抑制する位置固定部（２２）を，さらに有する
請求項１に記載のソフトルアー。
【請求項３】
前記位置固定部（２２）は，前記本体部材（１０）の左右両側に一対以上設けられている
請求項２に記載のソフトルアー。
【請求項４】
前記位置固定部（２２）は，Ｕ字状に湾曲している
請求項２又は請求項３に記載のソフトルアー。
【請求項５】
前記支持具（２０）は，一端部に釣糸を取り付けるための糸取付部（２３）を有し，他端部に前記位置固定部（２２）を有し，前記糸取付部と前記位置固定部の間の芯材部（２４）に前記連結部（２１）が設けられている
請求項２から請求項４のいずれかに記載のソフトルアー。
【請求項６】
前記芯材部（２４）に錘部材（２５）が取り付けられている
請求項５に記載のソフトルアー。
【請求項７】
前記糸取付部（２３）は，前記本体部材（１０）の前端部から少なくとも部分的に突出しており，
前記位置固定部（２２）は，前記本体部材の長手方向の半分よりも後端側の位置において前記本体部材から突出している
請求項５又は請求項６に記載のソフトルアー。
【考案の詳細な説明】
【技術分野】
【０００１】
本考案は，本体部材が軟質材料で形成された釣り用のソフトルアーに関する。
【背景技術】
【０００２】
従来から，釣り用のルアーには，本体部材が可撓性を持つ軟質材料によって形成されたソフトルアーと，本体部材が剛性を持つ硬質材料によって形成されたハードルアーがあることが知られている。ソフトルアーは，主にブラックバスのような口の大きい魚を対象とした釣りにおいて用いられ，ハードルアーと比べて水中で生物的な動きを再現し易いことから，安定した釣果が期待できる。
【０００３】
例えば，特許文献１には，従来のソフトルアーの例が示されている。特許文献１に記載のソフトルアーは，本体部材が軟質ゴム，ゲル又は軟質樹脂で成形されており，釣針が本体部材の底部から上部に向かってＵ字状に湾曲するように延在し，その釣針の先端が本体部材の上部から突出するように構成されている。ソフトルアーは，本体部材の強度が弱く，本体部材に対して金属製の釣針を懸吊させることが出来ない。このため，一般的なソフトルアーは，特許文献１に記載のもののように，懸吊型の釣針を取り付けることができず，釣針を本体部材の内部に埋め込むように取り付ける必要がある。
【先行技術文献】
【特許文献】
【０００４】
【特許文献１】特開２０１２−４４９７２号公報
【考案の概要】
【考案が解決しようとする課題】
【０００５】
ところで，従来のソフトルアーのように，釣針が本体部材の内部に埋め込まれたものの場合，ブラックバスのような口の大きな魚が，本体部材の後端側からその本体部材を丸呑みするように喰い入った場合に限り，魚の口腔内に針先端が刺さり込むようになる。このため，ソフトルアーは，ハードルアーに比べて水中での動きが生物に近似するため釣果が向上するものの，魚の口腔内に針先を刺入させるための条件が厳しいとされていた。これに対して，本体部材が硬質なハードルアーは，釣針を本体部材に懸吊することができるため，本体部材全体を魚が丸呑みにしなくても，針先にさえ魚の口部が引っ掛かれば，その魚を釣り上げることができる。このように，ソフトルアーは，釣針の取付構造の観点においてはハードルアーに劣るとされていた。そこで，現在では，ハードルアーと同様に，釣針を吊り下げることのできるソフトルアーが求められている。
【課題を解決するための手段】
【０００６】
本考案の考案者は，従来のソフトルアーの問題を解決する手段について鋭意検討した結果，本体部材の内部に硬質な支持具を収容し，この支持具に釣針を連結すれば，本体部材の外部において釣針を吊り下げることができるという知見を得た。さらに，この支持具に本体部材内部での位置ズレを抑制する位置固定機能を設けることで，本体部材内で支持具の状態を安定させることができることを考案した。そして，本考案者は，上記知見に基づけば，従来技術の課題を解決できることに想到し，本考案を完成させた。具体的に説明すると，本考案は以下の構成を有する。
【０００７】
本考案は，釣り用のソフトルアー１００に関する。ソフトルアー１００は，軟質材料からなる本体部材１０と，この本体部材１０の内部に収容される支持具２０とを備える。そして，支持具２０は，釣針３０が本体部材１０の外部において吊り下がるように，当該釣針３０を連結可能な連結部２１を有する。
【０００８】
本考案において，支持具２０は，位置固定部２２を有することが好ましい。位置固定部２２は，本体部材１０の外部に突出し，この本体部材１０の外表面に少なくとも一部が当接することで，本体部材１０の内部における支持具２０の位置ズレ（位置及び／又は向きのズレ）を抑制する。
【０００９】
本考案において，位置固定部２２は，本体部材１０の左右両側に一対以上設けられていることが好ましい。つまり，一対の位置固定部２２は，左右両側から本体部材１０を挟み込むように配置されている。
【００１０】
本考案において，位置固定部２２は，Ｕ字状に湾曲していることが好ましい。
【００１１】
本考案において，支持具２０は，一端部に釣糸を取り付けるための糸取付部２３を有し，他端部に位置固定部２２を有することが好ましい。また，糸取付部２３と位置固定部２２の間の芯材部２４に，連結部２１が設けられていることが好ましい。
【００１２】
本考案に係るソフトルアー１００は，芯材部２４に錘部材２５が取り付けられていることが好ましい。
【００１３】
本考案において，糸取付部２３は，本体部材１０の前端部から少なくとも部分的に突出しており，位置固定部２２は，本体部材１０の長手方向の半分よりも後端側の位置において本体部材１０から突出していることが好ましい。すなわち，支持具２０は本体部材１０の長手方向の前端から後端に亘る大部分に延在している。
【考案の効果】
【００１４】
本考案によれば，ソフトルアーに釣針を安定的に吊り下げることができる。
【図面の簡単な説明】
【００１５】
【図１】図１は，本考案の実施形態に係るソフトルアーを示した外観側面図である。
【図２】図２は，本考案の実施形態に係るソフトルアーの内部構造を示した側面図である。
【考案を実施するための形態】
【００１６】
以下，図面を用いて本考案を実施するための形態について説明する。本考案は，以下に説明する形態に限定されるものではなく，以下の形態から当業者が自明な範囲で適宜変更したものも含む。
【００１７】
図１は，ソフトルアー１００の外観を示している。なお，図１は，ソフトルアー１００の左側面側の構造を示しているが，右側面側の構造も左側面と略対称になっている。図１に示されるように，ソフトルアー１００は，本体部材１０（ソフトカバー）を有している。本体部材１０は，その内部が空洞となっており，その内部に釣針３０を連結するための支持具２０を収容することができる。本体部材１０は，可撓性を持つ軟質材料によって形成される。軟質材料の例は，天然樹脂や合成樹脂などの軟質樹脂である。合成樹脂としては，シリコーン樹脂，ポリ塩化ビニル（ＰＶＣ），ポリエチレン（ＰＥ）などを挙げることができる。ただし，本体部材１０の材質はここに挙げたものに限定されず，軟質材料であれば公知のものを適宜採用できる。
【００１８】
本体部材１０は，図１に示されるように，前端部分に設けられた前端孔１１，後端側の底部に設けられた後端孔１２，前端と後端の間の中間部分の底部に設けられた中間孔１３，及び上部に設けられた上部孔１４を有しており，各孔１１〜１４が本体部材１０の内部空間に連通している。
【００１９】
本体部材１０は，例えば，フロッグ型（カエルを模した形状）や，リザート型（トカゲを模した形状），クローフィシュ型（ザリガニを模した形状）などといった生物を模した形状であってもよいし，ストレート型（直線的な形状）や，パドルテール型（ボートのオール状のような形状）であってもよい。その他，本体部材１０の形状としては，公知のものを採用できる。
【００２０】
図２は，ソフトルアー１００の内部構造を示している。特に，図２では，本体部材１０の内部に収容された支持具２０の構造を示している。図２に示されるように，支持具２０は，本体部材１０の内部に大部分が収容され，その一部が本体部材１０の外部に突出している。そして，この支持具２０には，一又は複数の釣針３０を，本体部材１０の外部において吊り下がるように連結することができる。
【００２１】
支持具２０は，金属やプラスチックなどの硬質材料で形成されており，本体部材１０の中に埋入されて，本体部材１０の芯材として機能する。支持具２０は，本体部材１０の前端から中腹をとおり後端側に向かって延在する芯材部２４を有している。芯材部２４は，例えば，１つの金具によって構成されていてもよいし，複数の金具を繋ぎ合わせる（連結する）ことによって構成されていてもよい。
【００２２】
支持具２０の芯材部２４は，一端部に糸取付部２３を有している。糸取付部２３は，本体部材１０の前端に設けられた前端孔１１から突出しており，その突出部分に釣り糸を取り付けることができる。糸取付部２３は，例えばリング状に構成され，釣り糸を巻き付けることができるようになっている。
【００２３】
支持具２０の芯材部２４は，他端部に位置固定部２２を有している。位置固定部２２は，図１及び図２に示されるように，本体部材１０の後端孔１２から外部に突出しており，その一部又は全部が本体部材１０の外表面に当接する。また，位置固定部２２は，本体部材１０の外部に延在している部位がＵ字状に湾曲しており，その先端部分が本体部材１０の前端方向を向いている。図１等では，位置固定部２２は，本体部材１０の左側面の外表面に当接するものが描かれているが，本体部材１０右側面の外表面に当接するものも存在している。このように，支持具２０の他端に設けられた左右一対の位置固定部２２を本体部材１０の外部に突出させ，左右両側から本体部材１０を挟み込むこととしている。これにより，位置固定部２２は，支持具２０全体が本体部材１０の内部で大きく回転したり大きく前後に移動するといった位置ズレを抑制する。一対の位置固定部２２を利用して支持具２０の位置ずれを抑制することで，この支持具２０に釣針３０を安定的に取り付けることができる。
【００２４】
支持具２０の芯材部２４は，糸取付部２３と位置固定部２２の間に少なくとも１つの連結部２１を有している。連結部２１は，釣針３０を連結するための部位である。特に，連結部２１は，本体部材１０の中間孔１３から部分的に突出しており，その突出部分に釣針２０を吊り下げることができる。例えば，連結部２１は，複数のリング状の金具を繋ぎ合わせることによって構成されていてもよいし，１つの金具によって構成されていてもよい。連結部２１は，釣針３０を取り付けることができるように，下端部分がリング状となっている。また，支持具２０は，本体部材１０の後端孔１２から部分的に突出するように，連結部２１を有していてもよい。この後端側の連結部２１にも別の釣針３０を吊り下げることができる。釣針３０用の連結部２１は，２つ以上であることが好ましく，図示は省略するが３つ以上の連結部２１が設けられていてもよい。このように，本体部材１０の内部に支持具２０を設け，その支持具２０に釣針３０用の連結部２１を設けることで，ソフトルアー１００であっても，ハードルアーと同様に，釣針３０を本体部材１０の外部において懸吊することが可能となる。
【００２５】
支持具２０の芯材部２４には，錘部材２５が取り付けられていてもよい。錘部材２５は，少なくとも本体部材１０よりも質量の大きい金属（例えば鉛や鉄）によって形成されている。錘部材２５の大きさや重量を調整することで，ソフトルアー１００が水中で浮遊する深度を変えることができる。
【００２６】
図２に示されるように，支持具２０は，糸取付部２３が本体部材１０の前端孔１１から突出し，位置固定部２２が本体部材１０の長手方向の半分よりも後端側の位置に設けられた後端孔１２から突出するように構成されており，本体部材１０の長手方向の略全体に亘って延在していることがわかる。このように構成することで，硬質な支持具２０を軟質な本体部材１０の芯材（骨格）として機能させることができ，本体部材１０の形状を維持することができる。
【００２７】
支持具２０に連結する釣針３０として公知のものを採用することができる。例えば，図２に示すように，釣針３０は，一端部がリング状をなし，他端部が三股状（又は二股状）の針部で構成されている。釣針３０のリング状部分を支持具２０の連結部２１に連結することができる。
【００２８】
また，ソフトルアー１００は，さらに発光部材４０を有していてもよい。発光部材４０は，少なくとも部分的に本体部材１０の内部に設けられ，上部孔１４を介して一部分が外部に突出している。発光部材４０は，例えば蛍光塗料が塗布された棒状の部材で構成されているか，あるいは透明状又は半透明状の容器の中に蛍光塗料が充填されており，光エネルギーを吸収させることで夜間又は暗所において淡く発光する。このように発光部材４０を設けておくことで，魚を誘き寄せることができる。発光部材４０は，本体部材１０中に出し入れ可能に配置されており，必要に応じて外部に引き出すことができる。
【００２９】
以上，本願明細書では，本考案の内容を表現するために，図面を参照しながら本考案の実施形態の説明を行った。ただし，本考案は，上記実施形態に限定されるものではなく，本願明細書に記載された事項に基づいて当業者が自明な変更形態や改良形態を包含するものである。
【産業上の利用可能性】
【００３０】
本考案は，釣り用のソフトルアーに関する。本考案は，釣り具の製造産業などにおいて好適に利用しうる。
【符号の説明】
【００３１】
１０…本体部材              １１…前端孔
１２…後端孔                １３…中間孔
１４…上部孔                ２０…支持具
２１…連結部                ２２…位置固定部
２３…糸取付部              ２４…芯材部
２５…錘部材                ３０…釣針
４０…発光部材              １００…ソフトルアー
【図１】
0003210466.tif 000003
【図２】
0003210466.tif 000004